(57)【要約】【課題】  本発明の課題は、表面刺激と深経皮的電気的刺激とを組み合わせた電子医療機器及びその使用方法を提供することである。【解決手段】  上記課題を解決するために、本発明は、深経皮的刺激器と経皮的刺激器とを一体的な構成とした。  より詳細には、経皮的刺激器１０４とともに使用される表面電極１０８と、深経皮的刺激器１０２とともに使用される細かい針電極１０６とを組み合わせて統合表面電極１１２とし、この統合表面電極１１２を用いることによって、深経皮的刺激器と経皮的刺激器とを一体的な構成とした。
2005537069.tif 000002
【特許請求の範囲】
【請求項１】
深経皮的刺激器と、前記深経皮的刺激器に接続された経皮的刺激器と、
を備えていることを特徴とする目標領域を電気的に刺激する電子医療機器。
【請求項２】
前記深経皮的刺激器は細かい針電極を備えていることを特徴とする請求項１記載の電子医療機器。
【請求項３】
前記経皮的刺激器は表面電極を備えていることを特徴とする請求項１記載の電子医療機器。  
【請求項４】
前記深経皮的刺激器は電気的パルスを深部組織に直接伝えることを特徴とする請求項１記載の電子医療機器。
【請求項５】
前記経皮的刺激器は電気的パルスを目標領域の表面に伝えることを特徴とする請求項１記載の電子医療機器。  
【請求項６】
前記深経皮的刺激器は痛みを長期間緩和することを特徴とする請求項１記載の電子医療機器。
【請求項７】
前記経皮的刺激器は痛みを短期間緩和することを特徴とする請求項１記載の電子医療機器。
【請求項８】
前記経皮的刺激器は痛みを迅速に緩和することを特徴とする請求項１記載の電子医療機器。
【請求項９】
前記経皮的な刺激器は１ｋＨｚ以上２０ｋＨｚ以下のベース中周波の干渉電流を生成することを特徴とする請求項１記載の電子医療機器。
【請求項１０】
該干渉電流は０−２５０Ｈｚの合成ビート周波数を含んでいることを特徴とする請求項９記載の電子医療機器。
【請求項１１】
一体化された深経皮的／経皮的な刺激器を備えていることを特徴とする目標領域を統合電気的に刺激する電子医療機器。
【請求項１２】
前記経皮的刺激器は統合表面電極を備えていることを特徴とする請求項１１記載の電子医療機器。
【請求項１３】
該統合表面電極は細かい針電極を更に備えていることを特徴とする請求項１２記載の電子医療機器。
【請求項１４】
前記一体化された深経皮的／経皮的刺激器は深部組織に電気的なパルスを直接伝えることを特徴とする請求項１１記載の電子医療機器。
【請求項１５】
前記一体化された深経皮的／経皮的な刺激器は目標領域の表面に電気的なパルスを伝えることを特徴とする請求項１１記載の電子医療機器。
【請求項１６】
前記一体化された深経皮的／経皮的な刺激器は、電気的なパルスを深部組織および目標領域の表面に同時に伝えることを特徴とする請求項１１記載の電子医療機器。
【請求項１７】
前記一体化された深経皮的／経皮的な刺激器は痛みを長時間緩和することを特徴とする請求項１１記載の電子医療機器。
【請求項１８】
前記一体化された深経皮的／経皮的な刺激器は痛みを迅速に緩和することを特徴とする請求項１１記載の電子医療機器。
【請求項１９】
前記一体化された深経皮的／経皮的な刺激器は１ｋＨｚ以上２０ｋＨｚ以下のベース中周波の干渉電流を生成することを特徴とする請求項１１記載の電子医療機器。
【請求項２０】
該干渉電流は０−２５０Ｈｚの合成ビート周波数を含んでいることを特徴とする請求項２０記載の電子医療機器。
【請求項２１】
電気的な刺激器を使用することにより深部組織と目標領域の表面とを同時に電気的に刺激することを特徴とする方法。
【請求項２２】
該電気的な刺激器は一体化された深経皮的／経皮的な刺激器であることを特徴とする請求項２２記載の方法。
【請求項２３】
前記一体化された深経皮的／経皮的な刺激器は統合表面電極を備えていることを特徴とする請求項２３記載の方法。
【請求項２４】
前記統合表面電極は表面電極と一体化された細かい針電極を備えていることを特徴とする請求項２４記載の方法。
【請求項２５】
前記方法は痛みを長期間緩和することを特徴とする請求項２２記載の方法。
【請求項２６】
該方法は痛みを迅速に緩和することを特徴とする請求項２２記載の方法。
【請求項２７】
該方法は１ｋＨｚ以上２０ｋＨｚ以下のベース中周波の干渉電流を生成することを特徴とする請求項２２記載の方法。
【請求項２８】
該干渉電流は０−２５０Ｈｚの合成ビート周波数を含んでいることを特徴とする請求項２７記載の方法。
【請求項２９】
一体化された深経皮的／経皮的な刺激器を使用して目標領域を電気的に刺激することを特徴とする方法。
【請求項３０】
前記方法は統合表面電極の使用を含んでいることを特徴とする請求項２９記載の方法。
【請求項３１】
前記統合表面電極は表面電極と一体化された細かい針電極を備えていることを特徴とする請求項３０記載の方法。
【請求項３２】
前記方法は電気的なパルスを深部組織に直接伝えることを含んでいることを特徴とする請求項２９記載の方法。
【請求項３３】
前記方法は電気的なパルスを目標領域の表面へ伝えることを含んでいることを特徴とする請求項２９記載の方法。
【請求項３４】
前記方法は電気的なパルスを深部組織と目標領域の表面とに同時に伝えることを含んでいることを特徴とする請求項２９記載の方法。
【請求項３５】
前記方法は痛みを長時間緩和することを特徴とする請求項２９記載の方法。
【請求項３６】
前記方法は痛みを迅速に緩和することを特徴とする請求項２９記載の方法。
【請求項３７】
前記方法は１ｋＨｚ以上２０ｋＨｚ以下のベース中周波の干渉電流を生成することを特徴とする請求項２９記載の方法。
【請求項３８】
前記方法は０−２５０Ｈｚの合成ビート周波数の干渉電流を生成することを更に含んでいることを特徴とする請求項３７記載の方法。
【発明の詳細な説明】
【技術分野】
【０００１】
本出願は２００２年８月３０日になされた米国仮特許出願番号６０／４０６，９１４の利益を要求するものであり、当該仮出願の開示内容はここに参照されることによってその全体が本願に組み込まれるものである。
【０００２】
本発明は、一般に電気的な刺激に関し、特に筋、神経および組織を、深経皮的且つ経皮的に一体的に電気的に刺激する電子医療機器および方法に関する。
【背景技術】
【０００３】
深経皮的な電気的な刺激（深経皮的神経修飾療法（Ｐｅｒｃｕｔａｎｅｏｕｓ  ｎｅｕｒｏｍｏｄｕｌａｔｉｏｎ  ｔｈｅｒａｐｙ  又はこれを略してＰＮＴ）ともいう）とは、およそ２−３センチメートルの深さまで好適には挿入される細かい針電極を用いることによって（これに限られるものでない。）、電気的なパルスを深部組織に直接伝えるものである。深経皮的とは、定義されるよう、皮膚を通ってということであり、他の組織とともに深くにある筋肉組織および神経を刺激する細かいワイヤー電極を通常は利用する。深経皮的神経修飾療法（ＰＮＴ）は、セルッシ・アール・イー（Ｓｅｒｏｕｓｓｉ  ＲＥ）らの「慢性で激しい腰痛に罹った患者に関する深経皮的神経修飾療法の有効性」苦痛の治療第３巻第１号（２００３年３月）によれば（英文タイトル：Ｅｆｆｅｃｔｉｖｅｎｅｓｓ  ｏｆ  Ｐｅｒｃｕｔａｎｅｏｕｓ  Ｎｅｕｒｏｍｏｄｕｌａｔｉｏｎ  Ｔｈｅｒａｐｙ  ｆｏｒ  Ｐａｔｉｅｎｔｓ  ｗｉｔｈ  Ｃｈｒｏｎｉｃ  ａｎｄ  Ｓｅｖｅｒｅ  Ｌｏｗ  ＢａｃｋＰａｉｎ、雑誌名：Ｐａｉｎ  Ｐｒａｃｔｉｃｅ）、治療直後に明白な効果を常にもたらすものでなく、なんらかの利益が認められるまでに４回の治療セッションを必要とすることもある。深経皮的神経修飾療法の利点は、ゴーナム・イー・エー（Ｇｈｏｎａｍｅ  ＥＡ）らの「腰痛に関する深経皮的な電気的神経刺激：ランダム化されたクロスオーバー研究」（ＪＡＭＡ  １９９９；  ２８１：  ８１８−２３．）によれば、一連した１０回のセッションによって、痛みを６か月以上に及んで長く和らげるという点である。  
【０００４】
経皮的な電気的な刺激とは、皮膚の表面に据えられた電極を使用して、種々の電流を皮膚を通して流すことと定義される。この種の表面刺激は、ロビンソン・エー・ジェー（Ｒｏｂｉｎｓｏｎ  ＡＪ）ら、臨床電気生理学、第２版、バルティモア：ウィリアムズ・アンド・ウィルキンズ、１９９５：２８５−２９０、によれば（英文表記：Ｃｌｉｎｉｃａｌ  Ｅｌｅｃｔｒｏｐｈｙｓｉｏｌｏｇｙ，，  Ｓｅｃｏｎｄ  Ｅｄｉｔｉｏｎ．  Ｂａｌｔｉｍｏｒｅ：  Ｗｉｌｌｉａｍｓ  ＆  Ｗｉｌｋｉｎｓ，  １９９５：  ２８５−２９０．）、疼痛の緩和を比較的早期にもたらすとされている。しかし、表面刺激による緩和は、ジョンソン・エム・アイ（Ｊｏｈｎｓｏｎ  ＭＩ）らの「経皮的電気的な神経刺激（ＴＥＮＳ）の長期ユーザに関する詳細研究／ＴＥＮＳの臨床使用のための示唆」苦痛、１９９１；４１：  ２２１−２２９（英文表記：Ａｎ  Ｉｎ−Ｄｅｐｔｈ  Ｓｔｕｄｙ  ｏｆ  Ｌｏｎｇ−Ｔｅｒｍ  Ｕｓｅｒｓ  ｏｆ  Ｔｒａｎｓｃｕｔａｎｅｏｕｓ  ｅｌｅｃｔｒｉｃａｌ  Ｎｅｒｖｅ  Ｓｔｉｍｕｌａｔｉｏｎ  （ＴＥＮＳ）．  Ｉｍｐｌｉｃａｔｉｏｎｓ  ｆｏｒ  ｃｌｉｎｉｃａｌ  ｕｓｅ  ｏｆ  ＴＥＮＳ．  ＰＡＩＮ  １９９１；  ４１：  ２２１−２２９．）や、ハンス・ジェー・エス（Ｈａｎｓ  ＪＳ）らの「Ｅｆｆｅｃｔ  ｏｆ  ｌｏｗ−ａｎｄ  ｈｉｇｈ−ｆｒｅｑｕｅｎｃｙ  ＴＥＮＳ  ｏｎ  Ｍｅｔ−ｅｎｋｅｐｈａｌｉｎ−Ａｒｇ−Ｐｈｅ  ａｎｄ  ｄｙｎｏｒｐｈｉｎ  Ａ  ｉｍｍｕｎｏｒｅａｃｔｉｖｉｔｙ  ｉｎ  ｈｕｍａｎ  ｌｕｍｂａｒ  ＣＳＦ．」（ＰＡＩＤ  １９９１；  ４７：  ２９５−２９８．）によれば、通常は短期間（すなわち数時間あるいは精々数日）しか継続しない。この種の刺激の例としては、ネルソン・アール・エム（Ｎｅｌｓｏｎ  ＲＭ）「臨床における電気療法」第３版（Ｓｔａｍｆｏｒｄ  ：Ａｐｐｌｅｔｏｎ  ＆  Ｌａｎｇｅ，  １９９９：  ３１６−３１９．）によれば（英文書名：Ｃｌｉｎｉｃａｌ  Ｅｌｅｃｔｒｏｔｈｅｒａｐｙ）、経皮的電気的な神経刺激（ＴＥＮＳ）、神経筋の電気的な刺激（ＮＭＥＳ）、干渉刺激、ダイアダイナミックな刺激、高電圧ガルバニックな刺激（ＨＶＧＳ）、電磁界・パルス電磁界刺激（ＥＭＦ及びＰＥＭＦ）およびマイクロ電流刺激があるとされている。経皮的電気的な刺激は、多くの苦痛症状に有用でとなり得るが、効力が持続せず、精々緩和するに止まる。これをＰＮＴのようなより持続する再修飾技術と組み合わせることにより、より快適で効果的な結果がもたらされるであろう。患者もまた、ＰＮＴ療法のみを用いた場合よりも早期に結果及び効果を認めることとなろう。
【０００５】
また、日本国内で開示されている特許文献としては次のものがあるが、そこで開示されている電気刺激装置に関しては、針電極を用いて深部組織に電流を送る構成となっていないため、痛みの緩和効果が長期間持続しないという問題点がある。
【特許文献１】特開２００４−２５５１０４
【発明の開示】
【発明が解決しようとする課題】
【０００６】
しかしながら、上述したように、深経皮的刺激の使用は治療直後に必ずしも明白な効果を示すものでなく、何らかの効果が認められるまでに４回の治療セッションを要することがある。経皮的な刺激は、他方では、効果が短期間しか持続しないが、改善が早期にみられる。さらに、深経皮的刺激において使用される細かい針電極は挿入時にかなりの不快感を与える。したがって、従前来扱われて来なかった必要性が、前述の欠点及び不十分さに取り組むために、本発明の属する産業分野に存在している。
【課題を解決するための手段】
【０００７】
上記課題を解決するために、請求項１に記載の目標領域を電気的に刺激する電子医療機器は、深経皮的刺激器と、前記深経皮的刺激器に接続された経皮的刺激器と、を備えていることを特徴とする。
【０００８】
請求項２に記載の電子医療機器は、前記深経皮的刺激器は細かい針電極を備えていることを特徴とする。
【０００９】
請求項３に記載の電子医療機器は、前記経皮的刺激器は表面電極を備えていることを特徴とする。
【００１０】
請求項４に記載の電子医療機器は、前記深経皮的刺激器は電気的パルスを深部組織に直接伝えることを特徴とする。
【００１１】
請求項５に記載の電子医療機器は、前記経皮的刺激器は電気的パルスを目標領域の表面に伝えることを特徴とする。
【００１２】
請求項６に記載の電子医療機器は、前記深経皮的刺激器は痛みを長期間緩和することを特徴とする。
【００１３】
請求項７に記載の電子医療機器は、前記経皮的刺激器は痛みを短期間緩和することを特徴とする。
【００１４】
請求項８に記載の電子医療機器は、前記経皮的刺激器は痛みを迅速に緩和することを特徴とする。
【００１５】
請求項９に記載の電子医療機器は、前記経皮的な刺激器は１ｋＨｚ以上２０ｋＨｚ以下のベース中周波の干渉電流を生成することを特徴とする。
【００１６】
請求項１０に記載の電子医療機器は、該干渉電流は０−２５０Ｈｚの合成ビート周波数を含んでいることを特徴とする。
【００１７】
請求項１１に記載の目標領域を統合電気的に刺激する電子医療機器は、一体化された深経皮的／経皮的な刺激器を備えていることを特徴とする。
【００１８】
請求項１２に記載の電子医療機器は、前記経皮的刺激器は統合表面電極を備えていることを特徴とする。
【００１９】
請求項１３に記載の電子医療機器は、該統合表面電極は細かい針電極を更に備えていることを特徴とする。
【００２０】
請求項１４に記載の電子医療機器は、前記一体化された深経皮的／経皮的刺激器は深部組織に電気的なパルスを直接伝えることを特徴とする。
【００２１】
請求項１５に記載の電子医療機器は、前記一体化された深経皮的／経皮的な刺激器は目標領域の表面に電気的なパルスを伝えることを特徴とする。
【００２２】
請求項１６に記載の電子医療機器は、前記一体化された深経皮的／経皮的な刺激器は、電気的なパルスを深部組織および目標領域の表面に同時に伝えることを特徴とする。
【００２３】
請求項１７に記載の電子医療機器は、前記一体化された深経皮的／経皮的な刺激器は痛みを長時間緩和することを特徴とする。
【００２４】
請求項１８に記載の電子医療機器は、前記一体化された深経皮的／経皮的な刺激器は痛みを迅速に緩和することを特徴とする。
【００２５】
請求項１９に記載の電子医療機器は、前記一体化された深経皮的／経皮的な刺激器は１ｋＨｚ以上２０ｋＨｚ以下のベース中周波の干渉電流を生成することを特徴とする。
【００２６】
請求項２０に記載の電子医療機器は、該干渉電流は０−２５０Ｈｚの合成ビート周波数を含んでいることを特徴とする。
【００２７】
請求項２１に記載の方法は、電気的な刺激器を使用することにより深部組織と目標領域の表面とを同時に電気的に刺激することを特徴とする。
【００２８】
請求項２２に記載の方法は、該電気的な刺激器は一体化された深経皮的／経皮的な刺激器であることを特徴とする。
【００２９】
請求項２３に記載の方法は、前記一体化された深経皮的／経皮的な刺激器は統合表面電極を備えていることを特徴とする。
【００３０】
請求項２４に記載の方法は、前記統合表面電極は表面電極と一体化された細かい針電極を備えていることを特徴とする。
【００３１】
請求項２５に記載の方法は、前記方法は痛みを長期間緩和することを特徴とする。
【００３２】
請求項２６に記載の方法は、該方法は痛みを迅速に緩和することを特徴とする。
【００３３】
請求項２７に記載の方法は、該方法は１ｋＨｚ以上２０ｋＨｚ以下のベース中周波の干渉電流を生成することを特徴とする。
【００３４】
請求項２８に記載の方法は、該干渉電流は０−２５０Ｈｚの合成ビート周波数を含んでいることを特徴とする。
【００３５】
請求項２９に記載の方法は、一体化された深経皮的／経皮的な刺激器を使用して目標領域を電気的に刺激することを特徴とする。
【００３６】
請求項３０に記載の方法は、前記方法は統合表面電極の使用を含んでいることを特徴とする。
【００３７】
請求項３１に記載の方法は、前記統合表面電極は表面電極と一体化された細かい針電極を備えていることを特徴とする。
【００３８】
請求項３２に記載の方法は、前記方法は電気的なパルスを深部組織に直接伝えることを含んでいることを特徴とする。
【００３９】
請求項３３に記載の方法は、前記方法は電気的なパルスを目標領域の表面へ伝えることを含んでいることを特徴とする。
【００４０】
請求項３４に記載の方法は、前記方法は電気的なパルスを深部組織と目標領域の表面とに同時に伝えることを含んでいることを特徴とする。
【００４１】
請求項３５に記載の方法は、前記方法は痛みを長時間緩和することを特徴とする。
【００４２】
請求項３６に記載の方法は、前記方法は痛みを迅速に緩和することを特徴とする。
【００４３】
請求項３７に記載の方法は、前記方法は１ｋＨｚ以上２０ｋＨｚ以下のベース中周波の干渉電流を生成することを特徴とする。
【００４４】
請求項３８に記載の方法は、前記方法は０−２５０Ｈｚの合成ビート周波数の干渉電流を生成することを更に含んでいることを特徴とする。
【発明の効果】
【００４５】
本発明によれば、苦痛の迅速な緩和、より快適な針電極の挿入及び長期間持続する効果を患者が得ることができる。
【発明を実施するための最良の形態】
【００４６】
本発明は、腰痛、頸痛及びその他の苦痛症候群の神経根及び軸性のコンポーネントの治療に関する医療クリニック環境における使用に主として向けられている。
【００４７】
本発明の実施形態は、表面刺激と深経皮的電気的刺激とを組み合わせるものである（図１を参照）。ある実施形態では、当該システムは、表面的な求心性神経に刺激を与え、患者に迅速な感覚脱失を付与する針配置システムの一部である電極および回路を有している。苦痛の早期緩和は、針電極の挿入と患者の忍耐性とによって得られる利益といえよう。この表面刺激システムは、ＰＮＴシステムと統合されている。
【００４８】
別の実施形態においては、経皮的刺激システムと深経皮的刺激システムとは別個に存在する。しかしながら、経皮的刺激システムは、深経皮的なシステムとともに使用される（図２を参照）。
【００４９】
表面刺激の使用を深経皮的なものとリンクすることの利益は、苦痛の迅速な緩和、より快適な針電極の挿入及び長期間持続する効果を患者が得ることができるという点にある。
【００５０】
以下、本発明の好ましい実施形態およびその変形形態を、複数の図面を参照しつつ説明する。これらの図面を参照することによって本発明の多くの側面がより良く理解され得るところであるが、図面中のコンポーネントはスケールに必ずしも忠実でない。その代わりに、本発明の原理を描写することに強調が明確に加えられている。さらに、図面中、同様の参照数字は対応する部分を複数の図全体を通して指示する。
【００５１】
図１は、対象の目標領域（不図示）を電気的に刺激する電子医療機器１００を示すものである。目標領域（不図示）には、深部組織（不図示）と皮膚表面（不図示）の両方が含まれる。電子医療機器１００は、目標領域の深部組織（不図示）及び目標領域の皮膚表面（不図示）に対して直接送られる電気的なパルスを同時に生成する、一体化された深経皮的／経皮的な刺激器１１０を使用する。刺激するための電気的なパルスを同時に生成するために一体化された深経皮的／経皮的な刺激器１１０を使用することによって、深経皮的刺激によって付与される長期的な苦痛緩和と、経皮的刺激の使用によって付与される迅速だが短期的な苦痛緩和とが組み合わせられる。
【００５２】
生成された電気的なパルスは、統合された表面電極１１２によって目標領域（不図示）へ伝えられる。統合表面電極１１２は、経皮的刺激器１０４（図２）とともに使用される表面電極１０８と、深経皮的刺激器１０２（図２）とともに使用される細かい針電極１０６との組合せである。統合表面電極１１２を使用することによって、電気的なパルスは、深部組織、筋および神経に直接伝えられるとともに（深経皮的刺激）、皮膚表面を通して表面的な求心性神経に伝えられる（経皮的刺激）。統合表面電極１１２を用いる一体化された深経皮的／経皮的な刺激器１１０は、痛みの早期緩和、細かい針電極のより快適な挿入および長期間持続する苦痛の緩和を、患者に対して与える。
【００５３】
統合表面電極１１２を使用する深経皮的／経皮的な刺激器１１０で得られた結果と同様のものは、表面電極１０８を備えた経皮的刺激器１０４を、細かい針電極１０６を使用する別個の深経皮的刺激器１０２とともに使用することにより得ることができる（図２を参照）。しかしながら、上述したように、一体化された深経皮的／経皮的な刺激器１１０は、両刺激法によって得られる利点を１回の治療で提供する。
【００５４】
１ｋＨｚ以上２０ｋＨｚ以下のベース中周波で、２５０Ｈｚ以下の合成ビート周波数である干渉電流を生成するために、深経皮的／経皮的刺激器１１０を利用することができるかもしれない。当該干渉電流は経皮的に伝えられることによって、骨形成を促進し、骨粗鬆症の治療に役立ち得る。
【図面の簡単な説明】
【００５５】
【図１】図１は本発明の第１実施形態を図示する透視図である。
【図２】図２は本発明の第２実施形態を図示する透視図である。
【符号の説明】
【００５６】
１００  電子医療機器
１０２  深経皮的刺激器
１０４  経皮的刺激器
１０６  細かい針電極
１０８  表面電極
１１０  一体化された深経皮的／経皮的刺激器
１１２  統合表面電極
【図１】
2005537069.tif 000003
【図２】
2005537069.tif 000004
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
深経皮的刺激器と、経皮的刺激器と、
を備えていることを特徴とする目標領域を電気的に刺激する電子医療機器。
【請求項２】
前記深経皮的刺激器は細かい針電極を備えていることを特徴とする請求項１記載の電子医療機器。
【請求項３】
前記経皮的刺激器は表面電極を備えていることを特徴とする請求項１記載の電子医療機器。  
【請求項４】
前記深経皮的刺激器は電気的パルスを深部組織に直接伝え、前記経皮的刺激器は電気的パルスを目標領域の表面に伝えることを特徴とする請求項１記載の電子医療機器。
【請求項５】
前記経皮的な刺激器は１ｋＨｚ以上２０ｋＨｚ以下のベース中周波の干渉電流を生成することを特徴とする請求項１記載の電子医療機器。  
【請求項６】
該干渉電流は０−２５０Ｈｚの合成ビート周波数を含んでいることを特徴とする請求項５記載の電子医療機器。
【請求項７】
一体化された深経皮的且つ経皮的な刺激器を備えていることを特徴とする目標領域を集積電気的に刺激する電子医療機器。
【請求項８】
前記経皮的刺激器は統合表面電極を備えていることを特徴とする請求項７記載の電子医療機器。
【請求項９】
該統合表面電極は、表面電極と一体化された細かい針電極を更に備えていることを特徴とする請求項８記載の電子医療機器
【請求項１０】
前記一体化された深経皮的且つ経皮的刺激器は電気的パルスを深部組織に直接伝えるとともに、目標領域の表面に伝えることを特徴とする請求項９記載の電子医療機器。
【請求項１１】
前記一体化された深経皮的且つ経皮的な刺激器は電気的パルスを深部組織及び目標領域の表面に同時に伝えることを特徴とする請求項１０記載の電子医療機器。
【請求項１２】
前記一体化された深経皮的且つ経皮的な刺激器は１ｋＨｚ以上２０ｋＨｚ以下のベース中周波の干渉電流を生成することを特徴とする請求項１１記載の電子医療機器。
【請求項１３】
該干渉電流は０−２５０Ｈｚの合成ビート周波数を含んでいることを特徴とする請求項２０記載の電子医療機器。
【請求項１４】
電気的な刺激器を使用することにより深部組織と目標領域の表面とを同時に電気的に刺激する電子医療機器。
【請求項１５】
該電気的な刺激器は一体化された深経皮的且つ経皮的な刺激器であって、統合表面電極を更に備えていることを特徴とする請求項１４記載の電子医療機器。
【請求項１６】
前記統合表面電極は表面電極と一体化された細かい針電極を備えていることを特徴とする請求項１５記載の電子医療機器。
【請求項１７】
１ｋＨｚ以上２０ｋＨｚ以下のベース中周波の干渉電流を生成する手段を更に含んでいることを特徴とする請求項１４記載の電子医療機器。
【請求項１８】
該干渉電流は０−２５０Ｈｚの合成ビート周波数を含んでいることを特徴とする請求項１７記載の電子医療機器。
【請求項１９】
一体化された深経皮的且つ経皮的な刺激器を使用して痛みを治すために目標領域を電気的に刺激する方法。
【請求項２０】
前記方法は電気的パルスを深部組織に直接伝えることを含んでいることを特徴とする請求項１９記載の方法。
【請求項２１】
前記方法は電気的パルスを目標領域の表面へ伝えることを含んでいることを特徴とする請求項１９記載の方法。
【請求項２２】
前記方法は電気的パルスを深部組織と目標領域の表面とに同時に伝えることを含んでいることを特徴とする請求項１９記載の方法。
【請求項２３】
前記方法は１ｋＨｚ以上２０ｋＨｚ以下のベース中周波の干渉電流を生成することを更に備えていることを特徴とする請求項２９記載の方法。
【請求項２４】
前記方法は０−２５０Ｈｚの合成ビート周波数の干渉電流を生成することを更に備えていることを特徴とする請求項２３記載の方法。
【国際調査報告】
2005537069.tif 000005